(57)【要約】【課題】表面弾性波（ＳＡＷ）フィルタ部を１段のＳＡＷフィルタで形成して従来装置と同様のフィルタ特性が得られるようにし、装置を小型かつ安価にする。【解決手段】受信した選局チャンネルのテレビ放送信号の高周波処理、中間周波数変換処理を行うＲＦ・ＩＦ変換回路部２１ｃと、その次段回路を形成してＲＦ・ＩＦ変換回路部２１ｃの出力信号に通過帯域制限のフィルタ処理を施してアナログテレビ放送の受信回路２３ｃに供給するバンドパスフィルタ部２２ｃと、その出力信号に通過帯域制限のフィルタ処理を施してデジタルテレビ放送の復調回路５１ｃに供給する表面弾性波フィルタ部２４ｃとを備え、バンドパスフィルタ部２２ｃの通過帯域をアナログテレビ放送及びデジタルテレビ放送の情報が通過する範囲で狭帯域化し、表面弾性波フィルタ部２４ｃを１段の表面弾性波フィルタで形成する。【選択図】図１
2008085878.tif 000002
【特許請求の範囲】
【請求項１】
受信した選局チャンネルのテレビ放送信号を、高周波受信処理、中間周波数変換処理及び通過帯域制限のフィルタ処理を施してアナログテレビ放送の受信回路及びデジタルテレビ放送の復調回路に供給し、アナログテレビ放送及びデジタルテレビ放送を受信処理するテレビ放送受信装置において、前記高周波処理、前記中間周波数変換処理を行う高周波処理部と、前記高周波処理部の次段回路を形成し、前記高周波処理部の出力信号に通過帯域制限のフィルタ処理を施して前記アナログテレビ放送の受信回路に供給するバンドパスフィルタ部と、前記バンドパスフィルタ部の出力信号に通過帯域制限のフィルタ処理を施して前記デジタルテレビ放送の復調回路に供給する表面弾性波フィルタ部とを備え、前記バンドパスフィルタ部の通過帯域を前記アナログテレビ放送及び前記デジタルテレビ放送の情報が通過する範囲で狭帯域化し、前記表面弾性波フィルタ部を前記バンドパスフィルタ部のフィルタ特性との組み合わせによって急峻な遮断特性で前記デジタルテレビ放送の情報を抽出する１段の表面弾性波フィルタで形成したことを特徴とするテレビ放送受信装置。
【請求項２】
前記高周波処理部、前記バンドパスフィルタ部、前記表面弾性波フィルタ部及び、前記アナログ放送の受信回路は、前記デジタルテレビ放送の復調回路の前段のチューナモジュールに集約して設けられることを特徴とする請求項１記載のテレビ放送受信装置。
【発明の詳細な説明】
【技術分野】
【０００１】
本発明は、アナログテレビ放送及びデジタルテレビ放送を受信処理するテレビ放送受信装置に関し、詳しくは、デジタルテレビ放送の受信処理に必要な表面弾性波フィルタの個数低減に関する。
【背景技術】
【０００２】
従来、いわゆるテレビ受信機やビデオテープレコーダ、ＤＶＤレコーダ、ＨＤ（ハードディスク）レコーダ等の映像記録装置に組み込まれるテレビ放送受信装置には、例えばＮＴＳＣのアナログテレビ放送と、北米のＡＴＳＣ（Ａｄｖａｎｃｅｄ  Ｔｅｌｅｖｉｓｉｏｎ  Ｓｙｓｔｅｍｓ  Ｃｏｍｍｉｔｔｅｅ）放送や我が国の地上波デジタル放送のようなデジタルテレビ放送との両方の受信処理を行うものがある。
【０００３】
そして、前記アナログテレビ放送と前記デジタルテレビ放送の受信処理を行うテレビ放送受信装置は、概略図３に示すように構成される。
【０００４】
図３のテレビ放送受信装置は、アンテナ１ａの次段のチューナモジュール２ａと、表面弾性波フィルタ（以下、表面弾性波フィルタをＳＡＷフィルタという）モジュール３と、独立したモジュール構成のアナログテレビ放送の受信回路４と、デジタル放送の復調回路５１ａを含む終段モジュール５ａとからなり、各モジュール２ａ、３、４、５ａはそれぞれシールドされた個別の基板ユニットからなる。
【０００５】
そして、チューナモジュール２ａは、受信した選局チャンネルのテレビ放送信号に高周波受信処理、中間周波数変換処理を施すＲＦ・ＩＦ変換回路部２１ａ及び、アナログのバンドパスフィルタ（以下、バンドパスフィルタをＢＰＦという）部２２ａからなり、アナログテレビ放送又はデジタルテレビ放送の選局されたチャンネルのテレビ放送信号（ＲＦ信号）が、アンテナ１ａからチューナモジュール２ａのＲＦ・ＩＦ変換回路部２１ａに入力され、該ＲＦ・ＩＦ変換回路部２１ａはテレビ放送信号に高周波増幅の高周波受信処理及び中間周波数変換処理を順に施し、テレビ放送信号を中間周波数の信号（以下、ＩＦ信号という）に変換する。
【０００６】
そして、ＩＦ信号はＢＰＦ部２２ａにより、アナログテレビ放送及びデジタルテレビ放送の情報を損ねないように、図４（ａ）の十分な広帯域の帯域制限特性でフィルタ処理が施される。尚、北米のアナログテレビ放送及びデジタルテレビ放送を受信する場合は、図４（ａ）の通過帯域の中心周波数ｆｃは例えば４４ＭＨｚであり、上限周波数、下限周波数は、α＝３ＭＨｚとするｆｃ＋α、ｆｃ−αである。
【０００７】
ＢＰＦ部２２ａのフィルタ処理後のＩＦ信号はアナログテレビ放送の受信回路４に供給され、アナログ放送のチャンネルが選択されているときは、当該受信回路４が、入力されたＩＦ信号に例えば周知のＮＴＳＣテレビ放送の受信処理を施して選択されたチャンネルのアナログの受信復調信号を再生出力する。
【０００８】
そして、後段の映像・音声の処理をデジタル的に行なう場合は、アナログテレビ放送の受信回路４のアナログの受信復調信号が終段モジュール５ａのＡ／Ｄ変換回路５２ａでデジタル信号に変換され、このデジタル信号はデジタル処理回路５３ａの映像、音声のデジタルの増幅や特性調整等が施された後、表示処理や音声出力処理のモジュール（図示せず）に送られる。
【０００９】
ところで、ＢＰＦ部２２ａのフィルタ処理後のＩＦ信号はＳＡＷフィルタモジュール３にも供給される。
【００１０】
ＳＡＷフィルタモジュール３は２段のＳＡＷフィルタ３１、３２のＳＡＷフィルタ部を形成し、例えば図４（ｂ）のＳＡＷフィルタ３１の帯域特性と同図（ｃ）のＳＡＷフィルタ３２の通過帯域特性との組み合わせにより、入力されたＩＦ信号に急峻な遮断特性の帯域制限を施し、帯域制限後のＩＦ信号をＡＧＣ（自動利得制御）アンプ３３を通して終段モジュール５ａのデジタルテレビ放送の復調回路５１ａに供給する。
【００１１】
そして、デジタルテレビ放送の復調回路５１ａは、入力されたＩＦ信号にＡＴＳＣ放送や我が国の地上波デジタル放送の周知の復調処理を施し、選択されたチャンネルのデジタル放送の映像、音声のデジタル信号を再生してデジタル処理回路５３ａに出力し、デジタル放送の映像、音声のデジタル信号は、デジタル処理回路５３ａで同様の増幅や特性調整等が施された後、表示処理や音声出力処理のモジュールに送られる。
【００１２】
そして、上述の北米のアナログテレビ放送及びデジタルテレビ放送を受信するテレビ放送受信装置においては、上記した図３の構成のように、デジタルテレビ放送の受信回路の前段にＳＡＷフィルタモジュール３を備え、デジタルテレビ放送の受信回路の入力信号に２段のＳＡＷフィルタ処理を施すことが一般的に行なわれている（例えば、特許文献１参照。）。
【００１３】
また、ＡＴＳＣのデジタルテレビ放送のみの受信装置においても、デジタルテレビ放送の受信回路の入力信号に２段のＳＡＷフィルタ処理を施すことが提案されてる（例えば、特許文献２参照。）。
【００１４】
尚、特許文献２に記載の受信装置は概略図５に示すように構成され、アンテナ１ｂに接続されたチューナモジュール２ｂには、図３のＲＦ・ＩＦ変換回路部２１ａ、ＢＰＦ部２２ａに相当するＲＦ・ＩＦ変換回路部２１ｂ、ＢＰＦ部２２ｂ及び、図３のＳＡＷフィルタ３１、ＡＧＣアンプ３３に相当するＳＡＷフィルタ２３ｂ、ＡＧＣアンプ２４ｂが設けられ、ＲＦ・ＩＦ変換回路部２１ｂのＩＦ信号はＢＰＦ部２２ｂ、ＳＡＷフィルタ２３ｂ、ＡＧＣアンプ２４ｂを通って、図３のＡＷフィルタ３１に相当するモジュール構成のＳＡＷフィルタ６に送られる。
【００１５】
更に、ＳＡＷフィルタ６の出力信号はアンプ７を介して終段モジュール５ｂのデジタル放送の復調回路５１ｂに送られ、この復調回路５１ｂで復調されたデジタルの映像、音声の信号が図３のデジタル処理回路５３ａと同様のデジタル処理回路５３ｂに送られて処理される。
【特許文献１】特開２００２−１５８５９４号公報（要約書、［０００２］−［００１０］、図３等）
【特許文献２】実用新案登録第３１１３１９０号公報（［０００６］−［０００９］、図４等）
【発明の開示】
【発明が解決しようとする課題】
【００１６】
前記図３、図５の従来装置等の場合、テレビ放送の信号のフィルタ処理を行なうために、ＢＰＦ部２２ａ、２２ｂと、２段のＳＡＷフィルタ３１、３２、２３ｂ、６が形成するＳＡＷフィルタ部とを備える。
【００１７】
そして、デジタルテレビ放送の信号に対してＳＡＷフィルタ部の２段のＳＡＷフィルタ３１、３２、２３ｂ、６の処理が必要になるのは、次の理由による。
【００１８】
すなわち、デジタルテレビ放送の情報のエラー率を少なくするためにはできるだけ通過帯域を広くする必要がある。一方、隣接チャンネル等からの妨害の影響を少なくするためには通過帯域外の減衰率（遮断率）をできるだけ大きくする必要がある。
【００１９】
一方、チューナモジュール２ａのＢＰＦ部２２ａは、一般に、次段のアナログテレビ放送の受信回路４等がどのような入力特性であっても問題が生じないようにするため、アナログテレビ放送及びデジタルテレビ放送の情報を損ねない必要通過帯域特性を上回る、例えば図４（ａ）に示す十分な広帯域特性に設定される。又、チューナモジュール２ｂのＢＰＦ部２２ｂも、ＳＡＷフィルタ２３ｂ、６等がどのような特性であっても問題が生じないように必要特性を上回る広帯域特性に設定される。
【００２０】
そして、ＢＰＦ部２２ａ、２２ｂを通った広帯域の信号に、上述したような減衰率が大きい急峻な特性でデジタルテレビ放送の必要な帯域制限を施すことは、１段のＳＡＷフィルタでは困難である。
【００２１】
そのため、従来装置等は、２段のＳＡＷフィルタ３１、３２、２３ｂ、６の帯域特性を組合わせて、例えば図４（ｄ）の広帯域で急峻に減衰する総合特性を得るようにしている。
【００２２】
そして、ＳＡＷフィルタ３１、３２、２３ｂ、６はアナログ回路構成のＢＰＦ部２２ａ、２２ｂに比して大型で高価な部品であり、ＢＰＦ部２２ａ、２２ｂだけでなく、２個（２段）のＳＡＷフィルタ３１、３２、２３ｂ、６のＳＡＷフィルタ部を備える従来装置は、大型で高価であり、装置の小型化及びコストダウンを図ることができない問題がある。
【００２３】
本発明は、ＳＡＷフィルタ部を１個（１段）のＳＡＷフィルタで形成して従来装置と同様のフィルタ特性が得られるようにし、装置を小型かつ安価にすることを目的とする。
【課題を解決するための手段】
【００２４】
上記した目的を達成するために、本発明のテレビ放送受信装置は、受信した選局チャンネルのテレビ放送信号を、高周波受信処理、中間周波数変換処理及び通過帯域制限のフィルタ処理を施してアナログテレビ放送の受信回路及びデジタルテレビ放送の復調回路に供給し、アナログテレビ放送及びデジタルテレビ放送を受信処理するテレビ放送受信装置において、前記高周波処理、前記中間周波数変換処理を行う高周波処理部と、前記高周波処理部の次段回路を形成し、前記高周波処理部の出力信号に通過帯域制限のフィルタ処理を施して前記アナログテレビ放送の受信回路に供給するバンドパスフィルタ部と、前記バンドパスフィルタ部の出力信号に通過帯域制限のフィルタ処理を施して前記デジタルテレビ放送の復調回路に供給する表面弾性波フィルタ部とを備え、前記バンドパスフィルタ部の通過帯域を前記アナログテレビ放送及び前記デジタルテレビ放送の情報が通過する範囲で狭帯域化し、前記表面弾性波フィルタ部を前記バンドパスフィルタ部のフィルタ特性との組み合わせによって急峻な遮断特性で前記デジタルテレビ放送の情報を抽出する１段の表面弾性波フィルタで形成したことを特徴としている（請求項１）。
【００２５】
又、請求項１に記載のテレビ放送受信装置において、前記高周波処理部、前記バンドパスフィルタ部、前記表面弾性波フィルタ部は、前記アナログテレビ放送の受信回路及び前記デジタルテレビ放送の復調回路の前段のチューナモジュールに集約して設けられることを特徴としている（請求項２）。
【発明の効果】
【００２６】
請求項１のテレビ放送受信装置によれば、高周波処理部の後段のＢＰＦ部を従来装置のＢＰＦ部のように過度の広帯域特性にするのではなく、アナログテレビ放送及びデジタルテレビ放送の情報が通過する範囲で狭帯域化する。
【００２７】
そのため、ＢＰＦ部は従来装置のＳＡＷフィルタ部の１段目のＳＡＷフィルタとして作用する。この場合、ＳＡＷフィルタ部を１段のＳＡＷフィルタで形成することにより、ＢＰＦ部のフィルタ特性との組み合わせで急峻な遮断特性の通過帯域制限を行ってデジタルテレビ放送の情報を抽出することができ、従来装置のＳＡＷフィルタ部と同様のフィルタ処理が行える。
【００２８】
したがって、ＳＡＷフィルタ部を１個（１段）のＳＡＷフィルタで形成し、従来装置と同様のフィルタ特性が得られる小型かつ安価なテレビ放送受信装置を提供することができる。
【００２９】
請求項２のテレビ放送受信装置によれば、高周波処理部、ＢＰＦ部、ＳＡＷフィルタ部及び、アナログ放送の受信回路がチューナモジュールに集約して設けられるため、一層の小型を図ることができるともに、それらの接続配線が短くなり、又、チューナモジュール全体をシールドすることができるため、デジタルテレビ放送の復調回路の前段でのノイズ混入を少なくすることができ、Ｓ／Ｎ特性も向上する。
【発明を実施するための最良の形態】
【００３０】
つぎに、本発明をより詳細に説明するため、その実施形態について、図１及び図２にしたがって詳述する。
【００３１】
図１は例えば北米のアナログテレビ放送及びデジタルテレビ放送を受信するテレビ放送受信装置のブロック図、図２は図１のテレビ放送受信装置のフィルタ特性の説明図である。
【００３２】
図１のテレビ放送受信装置は、アンテナ１ｃの次段のチューナモジュール２ｃと、その後段の終段モジュール５ｃとからなる。
【００３３】
そして、アンテナ１ｃは図３のアンテナ１ａと同様の構成である。
【００３４】
又、図３のチューナモジュール２ａに対応するチューナモジュール２ｃは、ＲＦ・ＩＦ変換回路部２１ｃ、ＢＰＦ部２２ｃ、アナログテレビ放送の受信回路２３ｃ及び、ＳＡＷフィルタ部２４ｃ、ＡＧＣアンプ２５ｃを、シールドされた共通の基板ユニットに設けて形成される。
【００３５】
そして、アンテナ１ｃに接続されたＲＦ・ＩＦ変換回路部２１ｃは図３のＲＦ・ＩＦ変換回路部２１ａと同一の構成であり、受信した選局チャンネルのテレビ放送信号の高周波処理、中間周波数変換処理を行う高周波処理部を形成する。
【００３６】
又、ＢＰＦ部２２ｃは図３のＢＰＦ部２２ａに対応するが、その通過帯域は、ＢＰＦ部２２ａのように過度に広帯域化するのではなく、アナログテレビ放送及びデジタルテレビ放送の情報が通過する範囲で狭帯域化される。
【００３７】
具体的には、フィルタ定数の選定等に基づき、ＢＰＦ部２２ｃの通過帯域は図２（ａ）に示すように設定され、この通過帯域の特性は、図４（ａ）のＢＰＦ部２２ａの通過帯域の特性と比較して、上、下限の減衰特性が急峻で中心周波数ｆｃを含む平坦部の通過帯域幅が次のように狭くなっている。
【００３８】
すなわち、北米仕様の場合、中心周波数ｆｃは４４ＭＨｚであり、通過帯域幅は従来は６ＭＨｚであるが、実験等によると、アナログテレビ放送、デジタルテレビ放送のＩＦ信号に含まれる情報の隣接チャンネル妨害等の影響を排除する実用的な通過帯域幅は５ＭＨｚ程度で十分である。
【００３９】
そこで、ＢＰＦ部２２ｃの上限周波数ｆｃ＋α（＝４７ＭＨｚ）、下限周波数ｆｃ−α（＝４１ＭＨｚ）における減衰特性を次の表１のように、従来のＢＰＦ２２ａの減衰特性より急峻にする。
【００４０】
【表１】
2008085878.tif 000003
【００４１】
このように設定することで、ＢＰＦ２２ａの通過帯域幅が略６ＭＨｚであるのに対して、ＢＰＦ２２ｃの通過帯域幅は５ＭＨｚ程度に狭くなる。
【００４２】
この結果、図２（ａ）のＢＰＦ部２２ｃのフィルタ特性は、図４（ｂ）の従来装置の１段目のＳＡＷフィルタ３１の通過帯域幅５ＭＨｚのフィルタ特性と略同様になり、ＢＰＦ部２２ｃが従来装置のＳＡＷフィルタモジュール３の１段目のＳＡＷフィルタ３１として作用する。
【００４３】
そして、ＢＰＦ部２２ｃのフィルタ処理後のＩＦ信号はアナログテレビ放送の受信回路２３ｃに供給され、アナログ放送のチャンネルが選択されているときは、受信回路２３ｃが、入力されたＩＦ信号に受信処理を施して選択されたチャンネルのアナログの受信復調信号を再生出力する。
【００４４】
次に、ＢＰＦ部２２ｃの次段のＳＡＷフィルタ部２４ｃはＢＰＦ部２２ｃのフィルタ特性との組み合わせによって急峻な遮断特性でデジタルテレビ放送の情報を抽出するため、図３のＳＡＷフィルタ３２と略同じフィルタ特性、具体的には図４（ｃ）の特性に略等しい図２（ｂ）のフィルタ特性の１段のＳＡＷフィルタで形成される。尚、図２のβは数チャンネル離れた帯域である。
【００４５】
そして、ＢＰＦ部２２ｃとＳＡＷフィルタ部２４ｃの総合のフィルタ特性は、図２（ｃ）に示すようになり、図４（ｄ）の２段のＳＡＷフィルタ３１、３２の総合のフィルタ特性と略同じになる。
【００４６】
そのため、デジタル放送のチャンネルが選択されているときは、ＢＰＦ部２２ｃ、ＳＡＷフィルタ部２４ｃで図３の従来装置と同様にフィルタ処理された後のＩＦ信号が、図３のＡＧＣアンプ３３に相当するＡＧＣアンプ２５ｃを介して終段モジュール５ｃのデジタルテレビ放送の復調回路５１ｃに供給する。
【００４７】
そして、終段モジュール５ｃは図３の終段モジュール５ａの復調回路５１ａ、Ａ／Ｄ変換部５２ａ、デジタル処理回路５３ａと同一の復調回路５１ｃ、Ａ／Ｄ変換部５２ｃ、デジタル処理回路５３ｃが設けられ、終段モジュール５ａと同様に動作する。
【００４８】
したがって、前記実施形態のテレビ放送受信装置は、１段のＳＡＷフィルタからなるＳＡＷフィルタ部２４ｃを備えた構成で、図３の２段のＳＡＷフィルタ３１、３２のＳＡＷフィルタモジュール３を備えた構成の場合と同様のフィルタ処理を行ってアナログテレビ放送及びデジタルテレビ放送を受信することができる。
【００４９】
そして、ＳＡＷフィルタ部２４ｃを１個（１段）のＳＡＷフィルタで形成して従来装置と同様のフィルタ特性が得られる小型かつ安価なテレビ放送受信装置を提供することができる。
【００５０】
しかも、本実施形態の場合、高周波処理部としてのＲＦ・ＩＦ変換回路部２１ｃ、ＢＰＦ部２２ｃ、ＳＡＷフィルタ部２４ｃ及び、アナログ放送の受信回路２３ｃがチューナモジュール２ｃのシールドされた回路基板に集約して設けられるため、一層の小型を図ることができるともに、それらの接続配線が短くなり、又、チューナモジュール２ｃ全体をシールドすることができるため、デジタルテレビ放送の復調回路５１ｃの前段でのノイズ混入を少なくすることができ、Ｓ／Ｎ特性も向上する利点がある。
【００５１】
そして、本発明は上述した実施形態に限定されるものではなく、その趣旨を逸脱しない範囲において上述したもの以外に種々の変更を行うことが可能であり、ＢＰＦ部２２ｃ、ＳＡＷフィルタ部２４ｃのフィルタ特性等は、アナログテレビ放送、デジタルテレビ放送の信号特性等に基づいて種々に設定すればよい。
【００５２】
又、ＲＦ・ＩＦ変換回路部２１ｃ、ＢＰＦ部２２ｃ、ＳＡＷフィルタ部２４ｃ及び、アナログ放送の受信回路２３ｃ等はチューナモジュール２ｃに集約して設けられていなくてもよい。
【００５３】
そして、本発明は、種々のアナログテレビ放送とデジタルテレビ放送の受信処理機能を有するテレビ放送受信装置に適用することができる。
【図面の簡単な説明】
【００５４】
【図１】本発明の１実施形態におけるテレビ放送受信装置の回路構成を示すブロック図である。
【図２】同上、ＢＰＦ部及びＳＡＷフィルタ部の周波数特性図であり、（ａ）はＢＰＦ部の特性を示し、（ｂ）はＳＡＷフィルタ部の周波数特性を示し、（ｃ）はＢＰＦ部とＳＡＷフィルタ部の総合の特性を示す。
【図３】従来装置の一例の回路構成を示すブロック図である。
【図４】従来装置の一の例のＢＰＦ部及び２段のＳＡＷフィルタ部の周波数特性図であり、（ａ）はＢＰＦ部の特性を示し、（ｂ）は１段目のＳＡＷフィルタの周波数特性を示し、（ｃ）は２段目のＳＡＷフィルタの周波数特性を示し、（ｄ）はＢＰＦ部及び２段のＳＡＷフィルタ部の総合の特性特性を示す。
【図５】従来装置の他の例の回路構成を示すブロック図である。
【符号の説明】
【００５５】
２ｃ  チューナモジュール
２１ｃ    ＲＦ・ＩＦ変換回路部
２２ｃ    バンドパスフィルタ（ＢＰＦ）部
２３ｃ    アナログテレビ放送の受信回路
２４ｃ    表面弾性波（ＳＡＷ）フィルタ部
５１ｃ    デジタルテレビ放送の復調回路
【図１】
2008085878.tif 000004
【図２】
2008085878.tif 000005
【図３】
2008085878.tif 000006
【図４】
2008085878.tif 000007
【図５】
2008085878.tif 000008